(57)【特許請求の範囲】
【請求項１】
略山形状で左右傾斜面谷側方向に平行に開口した複数本のルーバー状換気口を長手方向に所定間隔で備えた棟板部材と、該棟板部材の左右傾斜面裏側に対して屋根棟部開口部を跨ぐ略対称位置にスペーサを介して固着される２つの水切り部材とから構成されて、屋根棟部開口部を被覆しつつ小屋裏空間の自然換気を可能とする換気棟において、
前記水切り部材が、屋根板に沿った傾斜面をなして裏面に防水パッキンを備えた底板と、該底板の上端縁より立設された前壁と、該前壁上端から前記棟板部材裏面に沿って谷側方向に折り返された上板と、該上板よりさらに下降傾斜した水切り部と、該水切り部の下端縁に対して谷側方向に隙間を確保しつつ底板より立設された止水ガードとからなり、前記前壁と前記上板の隅部において長手方向に複数個の通気孔を穿設する一方、前記止水ガードの基部に排水導孔を穿設して、
該排水導孔の穿設位置を、前記棟板部材におけるルーバー状換気口の穿設位置と一致しないようにしたことを特徴とする換気棟。
【発明の詳細な説明】
【０００１】
【発明の属する技術分野】
本発明は、家屋における小屋裏空間の自然換気を行うべく、屋根の棟部に取り付けられる、いわゆる換気棟の構造の改良に関する。
【０００２】
【従来の技術】
棟木に所定間隔で配設された垂木に対して屋根板が葺かれてなる住宅家屋等において、屋根の棟部に穿設された開口部を覆うように装着され、雨水の浸入を防止しつつ小屋裏空間の自然換気を図る略山形状をした換気棟については、和洋瓦に代わって軽量な平板状スレート材が屋根材の主流となりつつある状況を背景として、従来より様々な構造のものが提案されている。例えば、特開昭62-197556号や実開昭62-71210号、実開昭62-137946号などでは、下換気孔を穿孔した下水切板で棟部開口部を被覆し、さらにスペーサを介在させながら上換気孔を穿孔した上水切板で被覆して、棟部開口部から下換気孔を経て上換気孔に至る換気流路を形成した換気棟が開示されている。
【０００３】
また、特開平9-78782号では、前記下水切板に代えて棟部開口部を跨ぐように配設された中空体上に、山形に形成された棟板を被覆した換気棟が提案されている。この明細書においては、中空体における棟部中央側端縁を庇側に折り返して水切りとし、該水切りを棟板上に穿設されたルーバー状貫通孔の下方に隙間をあけて配置することによって、ルーバー状貫通孔より吹き込んだ雨水を庇側排水口へと導く換気棟が、実施形態２として開示されている。
【０００４】
【発明が解決しようとする課題】
しかしながら、前記いずれの換気棟においても、強風等により上水切板ないし棟板の端縁から吹き込む雨水への対策は十分とは言えなかった。また、後者の換気棟では、ルーバー状貫通孔の下方に近接して水切りを配設したことで、換気量が犠牲にされてしまう欠点があった。
【０００５】
本発明では、前記従来の換気棟に改良を加えて、強風による雨水の吹き込み又は逆流を防止しながらも、十分な換気量を確保しうる換気棟を提供することを目的とする。
【０００６】
【課題を解決するための手段】
本発明では、略山形状で左右傾斜面谷側方向に平行に開口した複数本のルーバー状換気口を長手方向に所定間隔で備えた棟板部材と、該棟板部材の左右傾斜面裏側に対して屋根棟部開口部を跨ぐ略対称位置にスペーサを介して固着される２つの水切り部材とから構成されて、屋根棟部開口部を被覆しつつ小屋裏空間の自然換気を可能とする従来の換気棟において、前記水切り部材を、屋根板に沿った傾斜面をなして裏面に防水パッキンを備えた底板と、該底板の上端縁より立設された前壁と、該前壁上端から前記棟板部材裏面に沿って谷側方向に折り返された上板と、該上板よりさらに下降傾斜した水切りと、該水切りの下端縁に対して谷側方向に隙間を確保しつつ底板より立設された止水ガードとから構成し、前記前壁と前記上板の隅部において長手方向に複数個の通気孔を穿設する一方、前記止水ガードの基部に排水導孔を穿設して、該排水導孔の穿設位置を、前記棟板部材におけるルーバー状換気口の穿設位置と一致しないようにすることで、前記所期の課題解決を図った。
【０００７】
すなわち、雨水に対する防水対策が施されているはずの換気棟より小屋裏内へ漏水してしまうのは、強風や大雨によって、棟板部材の換気口などから雨水が逆流してしまうからであるが、本発明では、従来の換気棟では見られなかった止水ガードを水切り部材内に追加配置し、さらに該止水ガード基部における排水導孔を、棟板部材におけるルーバー状換気口の穿設位置とずらして換気口と換気口の間に設けることによって、棟板部材の換気口や、ハゼ部と称される棟板部材の谷側下端部と水切り部材谷側下端部との隙間から雨水が逆流することを防止したのである。
【０００８】
また、このように棟板部材の換気口やハゼ部から雨水が逆流することを防止できた結果、従来品に比して多くの換気口を穿設することが可能となったので、水切り部前壁と上板の隅部における通気孔を大きく穿設することで、従来品以上の換気量を確保できるようになったのである。
【０００９】
【発明の実施の形態】
以下、図面に基づいて本発明に係る換気棟について詳細に説明する。図１は本発明に係る換気棟の一例の施工状態を示す断面図、図２は同換気棟における棟板部材の斜視図、図３は同換気棟における２つの水切り部材の斜視図である。
【００１０】
一般の住宅家屋では、長尺の棟木Ｍに対して軸直方向に所定間隔で垂木Ｔが配設され、該垂木Ｔ上に野地板Ｎ、下葺材Ｆ、平板瓦Ｈの順に重ねて敷設されることにより屋根が形成されている。棟木Ｍ上方の棟頂部には長手方向に屋根を跨ぐように略山形形状の棟板が複数枚連続して被設される。一方、棟木Ｍの長手方向には所定間隔で開口部Ｏが配設されており、該開口部Ｏ上に位置する棟板に代えて本発明に係る換気棟Ｋが被設される。
【００１１】
開口部Ｏは、一般に長さ８５０mm程度で幅６０mm程度、換気棟Ｋは、一般に長さ１２００mm程度で幅２３０mm程度である。開口部Ｏの左右側壁面には、必要に応じて一対の捨水切りＳが対向して配設される。この捨水切りＳは、前記野地板Ｎ、下葺材Ｆおよび平板瓦Ｈの上端面を覆いながらその上端部が前記平板瓦Ｈの上端縁より若干突出する位置に配設されるか、図１のように、野地板Ｎ、下葺材Ｆおよび平板瓦Ｈの上端面から若干隔離して配設されるのが一般的である。
【００１２】
本発明に係る換気棟Ｋは、１枚の鋼板を略山形状に屈曲形成した棟板部材１と、該棟板部材１の裏側に固着された２つの水切り部材２，２とから概略構成される。
【００１３】
棟板部材１は、ほぼ屋根勾配に沿って左右に傾斜した棟板本体11ａ,11ｂと、該棟板本体11ａ,11ｂ端縁から各々下方に略鉛直に屈曲形成された側壁部12ａ,12ｂ、および該側壁部12ａ,12ｂの端縁から各々左右に突出しつつ先端縁が折り返されたフランジ部13ａ,13ｂとからなり、その棟板本体11ａ,11ｂにおいて、谷側方向に、平行に並んだ３本の透孔14ａ〜14ｃからなるルーバー状換気口14が穿設されている。本例の棟板部材１では、図２において手前側から順に、棟板部材１の長手方向に所定間隔をおいて片側５カ所の換気口14Ａ〜14Ｅが配設され、棟板部材１全体として計１０カ所の換気口を備えている。
【００１４】
棟板部材１における換気口14Ａより中央寄りに配設された小円形状の透孔や、換気口14Ｅより中央寄りに配された透孔は、換気棟Ｋを屋根に固定するための固定釘３挿入用の取付孔15ａ〜15ｄであり、本例では片側２カ所、計４カ所に設けられている。各取付孔15ａ〜15ｄは、バーリング加工によって棟板本体11ａ,11ｂ表側に環状に突出するよう形成されており、後述するスペーサ４の上端縁が取付孔15の内周面に密接するよう嵌着されることによって取付孔15からの漏水防止が図られている。なお、片側２カ所の取付孔15ａと取付孔15ｂの間隔、又は取付孔15ｃと取付孔15ｄの間隔は、換気棟Ｋの確実な固定を図るべく、屋根の垂木Ｔを配設する間隔に合致するように設定するのが望ましい。
【００１５】
棟板部材１の左右傾斜面裏側には、２つの水切り部材２，２が左右対称に固着される。図１および図４に示されるように、各水切り部材２は、後述の止水ガード５を除いて、平板瓦Ｈなど家屋の屋根面に沿った傾斜をなした底板21と、該底板の上端縁より立設された前壁22と、該前壁22上端から棟板部材１の裏面に沿って谷側方向に折り返された上板23と、該上板23よりさらに下降傾斜した水切り部24とが、１枚の鋼板から屈曲形成されてなるものである。
【００１６】
水切り部材２の内部には、底板21より止水ガード５が立設される。図３および図４に示されるように、止水ガード５は、１枚の帯状鋼板を略Ｌ字形に屈曲形成したものであって、水切り部材２上端縁を下方に屈曲させてなる水切り部24の下端縁に対して、谷側方向に隙間を確保しつつ、リベット接合等によって底板21より立設される。
【００１７】
前記止水ガード５の上端は、水切り部材２水切り部24の下端縁より上方に突出するように設定するのが望ましい。また、止水ガード５の立設位置は、水切り部材２上に被着された棟板部材１において最も山側（棟芯側）に位置する換気口14ａの下端縁よりも山側に位置するように設定するのが望ましい。このように止水ガード５の立設位置を設定することで、ルーバー状換気口14から水切り部材２内に流れ込む雨水の逆流防止が図られる。
【００１８】
図３に示されるように、水切り部材２における前壁22と上板23の隅部には、長手方向に複数個の通気孔26が穿設されている。一方、止水ガード５の基部には、計８個の排水導孔51Ａ〜51Ｈが穿設されている。そして、これら排水導孔51Ａ〜51Ｈの穿設位置は、前述の棟板部材１における換気口14Ａ〜14Ｅの穿設位置と一致しないように設定される。すなわち、止水ガード５における排水導孔51は、万一、雨水が止水ガード５を越えて水切り部材２の前壁22近くに逆流した場合の排水手段として必要不可欠である反面、排水導孔51の穿設位置によっては止水ガード５を立設させた意義を損なってしまうので、排水導孔51Ａ〜51Ｈを換気口14Ａ〜14Ｅと互い違いに穿設することにしたのである。
【００１９】
なお、本例の換気棟では、スペーサ４の配設位置とも一致しないように排水導孔51Ｂ,51Ｃや排水導孔51Ｆ,51Ｇの穿設位置を設定することで、これら排水導孔51Ｂ,51Ｃや排水導孔51Ｆ,51Ｇから排水される雨水がスペーサ４の基部より屋根側に染み込んだり、スペーサ４基部が嵌着された水切り部材２の取付孔（図示されていない）が雨水によって腐食することを防止している。
【００２０】
２つの水切り部材２,２は、棟板部材１における左右傾斜面、つまり棟板本体11ａ,11ｂの裏側に対して、屋根棟部開口部Ｏを跨ぐ略対称位置に，スペーサ４を介して固着される。スペーサ４は、ゴム製で、中心に固定釘３挿入用の透孔を備えた略円筒形状をしており、その基部が水切り部材２における底板21と嵌合した状態にあり、一回り小径となったその上端部が棟板部材１の棟板本体11ａ,11ｂにおける透孔15内に嵌挿される。棟板部材１と２つの水切り部材２,２は、スポット溶接やリベット接合などにより固着される。
【００２１】
図５は、図１の例の換気棟の端部付近の拡大底面図である。図示されるように、棟板部材１の方が２つの水切り部材２，２より長いのは、隣接する棟板との重ね代を確保しているためである。
【００２２】
棟板部材１の中央部（２つの水切り部材２，２の間）にはペフと称される結露防止シート６が貼着される。とくに冬季の夜間に外気が冷却されると、棟板部材１の表裏で温度差が大きくなり、棟板部材１の裏面に結露が生じるので、屋根棟部開口部より小屋裏空間へと結露した水蒸気が落下することを防止する必要があるからである。
【００２３】
また、各水切り部材２，２における底板21の裏面には、防水パッキン７が貼着される。この防水パッキン７は、各水切り部材２と平板瓦Ｈとの空隙をなくし、水シール性を高めて、強風等により平板瓦表面を逆流してくる雨水が前記空隙より流入してくることを防止し、ひいては屋根棟部開口部より小屋裏空間へ漏水することを防止している。この防水パッキン７として使用する素材としては、日東電工（株）製エプトシーラーNo. 686P（商品名）などが挙げられる。
【００２４】
かくして換気棟が設置されると、日照により小屋裏空間内において暖められた空気は、屋根棟部開口部Ｏより上昇し、水切り部材２前壁22上端部に穿設された通気孔26より、水切り部24と止水ガード５との間の空隙を経て、棟板本体11ａ,11ｂのルーバー状換気口14より放出される。一方、ルーバー状換気口14から水切り部材２，２内に流入してきた雨水は、止水ガード５や水切り部24の存在によって逆流が防止される一方、棟板部材１におけるフランジ部13ａ，13ｂと、水切り部材２，２におけるフランジ25の間の空隙８から排出される。この空隙８は、換気棟の長尺方向に連続して開放しているので、雨水のスムーズな排出が確保されることになる。
【００２５】
【発明の効果】
本発明に係る換気棟では、水切り部材内に止水ガードを新設する一方、換気用開口部の位置を調整したので、棟板部材におけるルーバー状換気口や、棟板部材フランジ部と水切り部材フランジ部の間における長尺スリット状開口からの、強風による雨水の吹き込み又は逆流の防止が図られる。
【００２６】
また、換気用開口部の位置調整を図ったことで、有効換気面積を最大限まで広げることができ、従来の換気棟に比して十分な換気量を確保しうる。
【図面の簡単な説明】
【図１】本発明に係る換気棟の一例の施工状態を示す断面図である。
【図２】同換気棟における棟板部材の斜視図である。
【図３】同換気棟における２つの水切り部材の斜視図である。
【図４】図１における水切り部材付近の部分拡大図である。
【図５】図１の例の換気棟の端部付近の拡大底面図である。
【符号の説明】
１    棟板部材
２    水切り部材
３    固定釘
４    スペーサ
５    止水ガード
６    結露防止シート
７    防水パッキン
１４    換気口
１５    取付孔
２１    底板
２２    前壁
２３    上板
２４    水切り部
【図１】
0004246885.tif 000002
【図２】
0004246885.tif 000003
【図３】
0004246885.tif 000004
【図４】
0004246885.tif 000005
【図５】
0004246885.tif 000006